(57)【要約】【課題】センタローラを前後に配し、センタローラの交換が容易になるようにする。【解決手段】コンベヤフレームの両側にキャリア側ベルトの下を横切る水平材１の両端を取り付け、この水平材の上面両端及び中央部からそれぞれ対向状に起立するサイドローラスタンドを設けて、このサイドローラスタンドにそれぞれのサイドローラの両端を支持し、上記水平材の中央部上記サイドスタンドの内側から対向状に起立する脚材４を設け、この両脚材の上端に水平な支軸を介しベルトの走行方向側に先端が向く左右一対の下流アーム５の末端と、ベルトの走行方向に反対側に先端が向く左右一対の上流アーム６の末端とを回動自在に支持すると共に、この下流アームの先端及び上流アームの先端にセンタローラ８の両端を支持し、上記下流アーム及び上流アームの途中に先端を取り付けた支持ブラケット９の末端を上記水平材に取付金具１０を介し着脱自在に取り付ける。【選択図】図３
2011255990.tif 000002
【特許請求の範囲】
【請求項１】
コンベヤフレームの両側にキャリア側ベルトの下を横切る水平材の両端を取り付け、この水平材の上面両端及び中央部からそれぞれ対向状に起立するサイドローラスタンドを設けて、このサイドローラスタンドにそれぞれのサイドローラの両端を支持し、上記水平材の中央部上記サイドスタンドの内側から対向状に起立する脚材を設け、この両脚材の上端に水平な支軸を介しベルトの走行方向側に先端が向く左右一対の下流アームの末端と、ベルトの走行方向に反対側に先端が向く左右一対の上流アームの末端とを回動自在に支持すると共に、この下流アームの先端及び上流アームの先端にセンタローラの両端を支持し、上記下流アーム及び上流アームの途中に先端を取り付けた支持ブラケットの末端を上記水平材に取付金具を介し着脱自在に取り付けたことを特徴とするベルトコンベヤ用キャリアローラ。
【発明の詳細な説明】
【技術分野】
【０００１】
この発明は、ベルトコンベヤを構成するベルトのキャリア側を支承するキャリアローラに関する。
【背景技術】
【０００２】
ベルトコンベヤのキャリア側ベルトを支承するキャリアローラは、周知のように、センタローラと、このセンタローラの両側に配置する対の登り傾斜のサイドローラとからなり、センタローラ及び対のサイドローラの計３つのローラは、平面上直線に配置した構成になっている。
【０００３】
このような構成によると、中央のセンタローラで全荷重の６０％以上を、両側のサイドローラには、残りをそれぞれ負荷することになるので、センタローラに加わる荷重を分散させると共に、ベルトのセンタローラ間の屈曲を軽減してベルトの移送による抵抗を減らすようにしたベルトコンベヤ用キャリアローラがある（特許文献１参照）。
【先行技術文献】
【特許文献】
【０００４】
【特許文献１】韓国特許公報Ｎｏ．１０−０６２０１３２
【発明の概要】
【発明が解決しようとする課題】
【０００５】
ところで、特許文献１のものは、コンベヤフレーム上の両側にサイドローラが支持され、コンベヤフレームの中央部分（サイドローラ間）にベルトの長手方向両端が上下動自在になる一本の回動フレームの中間を支持手段により支持して、この回動フレームの両端にそれぞれセンタローラを支持した構成になっている。すなわち前後の並列センタローラにより荷重を分散させている。
【０００６】
しかしながら、故障したセンタローラを交換する場合、ベルトの下側に通過させた棒材の持ち上げや、ベルトの吊り上げによってセンタローラに対しベルトを浮上させて、ベルトの浮上状態を維持しながら、無荷重になったセンタローラを交換するので、ベルトの押し上げに著しく手数がかかると共に、センタローラの交換に長時間要することになる。すなわち、ベルトコンベヤの運転休止が長時間になる問題があった。
【０００７】
そこで、この発明は、センタローラの交換が極めてスムーズに、すなわち、ベルトコンベヤの運転休止が短時間になるようにしたことにある。
【課題を解決するための手段】
【０００８】
上記の課題を解決するために、この発明は、コンベヤフレームの両側にキャリア側ベルトの下を横切る水平材の両端を取り付け、この水平材の上面両端及び中央部からそれぞれ対向状に起立するサイドローラスタンドを設けて、このサイドローラスタンドにそれぞれのサイドローラの両端を支持し、上記水平材の中央部上記サイドスタンドの内側から対向状に起立する脚材を設け、この両脚材の上端に水平な支軸を介しベルトの走行方向側に先端が向く左右一対の下流アームの末端と、ベルトの走行方向に反対側に先端が向く左右一対の上流アームの末端とを回動自在に支持すると共に、この下流アームの先端及び上流アームの先端にセンタローラの両端を支持し、上記下流アーム及び上流アームの途中に先端を取り付けた支持ブラケットの末端を上記水平材に取付金具を介し着脱自在に取り付けた構成を採用する。
【発明の効果】
【０００９】
以上のように、この発明のベルトコンベヤ用キャリアローラによれば、中央（センタ）ローラに対する乗り越え抵抗を減らすことにある。すなわち、センタローラの６０％以上の負荷を半減させることで、センタローラの寿命も延びることにより耐久性を向上させ、かつセンタローラが故障すると、取付金具による支持ブラケットの末端の支持を解除することで、上流アームや下流アームの先端側を降下させながら、キャリアベルトに対しセンタローラを遊離させることができる。
【００１０】
このため、センタローラの交換が極めてスムーズになり、その結果、ベルトコンベヤの運転休止が極めて短時間になるすぐれた効果がある。
【００１１】
また、取付金具による支持ブラケットの末端固定を解除することで、下流アーム及び上流アームを回動させて並列状に集合させることができる。
【００１２】
このため、嵩低くすることが可能になって、格納や輸送のかさばりの不都合をなくすることができる。
【図面の簡単な説明】
【００１３】
【図１】図１は、この発明の実施形態を示す平面図である。
【図２】図２は、同上の要部を示す拡大平面図である。
【図３】図３は、同縦断拡大側面図である。
【図４】図４は、同上の一部切欠正面図である。
【図５】図５は、センタローラの交換を示す縦断側面図である。
【発明を実施するための形態】
【００１４】
以下、この発明の実施形態を添付図面に基づいて説明する。
【００１５】
実施形態の図１から図４に示すａは、ベルトコンベヤＡの無端状のベルトである。
【００１６】
１はキャリア側ベルトａの下を横切ってコンベヤフレームＢの両端上縁に締付具などを介し両端を取り付けた水平材である。
【００１７】
上記水平材１上の両端及び中央部には、それぞれが対向状に起立するサイドローラスタンド２，２が設けてあり、この各対向するサイドローラスタンド２，２には、サイドローラ３の両端が支持させてある。
【００１８】
上記サイドローラ３の両端支持は、周知のように例えばサイドローラスタンド２の上縁から下方に向け設けてある切欠き２０にサイドローラ３の両端面から突出するセンタ支軸２１の両端外周面対向位置に設けてある溝２２を係合状に落とし込んで、センタ支軸２１を不回転状態で受架してある。
【００１９】
なお、左右の両サイドローラ３は、外側方に登り傾斜になるようにセンタ側サイドローラスタンド２の上方への突出長さは、コンベヤフレームＢの側面側サイドローラスタンド２の上方への突出長さよりも短くしてある。
【００２０】
また、水平材１の上面中央部で、上記サイドローラスタンド２の内側に対向状に起立する脚材４，４を設けて、この両脚材４の上端には、ベルトａの走行方向に先端が向く左右一対の下流アーム５の末端と、ベルトａの走行方向の反対方向に先端が向く左右一対の上流アーム６の末端とを水平な支軸７を介し回動自在に支持する。
【００２１】
上記支軸７は、図示の場合、両端外周対向の溝２２を脚材４の上縁から下方に向く切欠き２０に落とし込んで不回転状態に支持したが、限定されない。この要因は、センタローラを取り外したセンタローラスタンドを脚材４として使用するためである。
【００２２】
そして、下流アーム５の両先端間と上流アーム６の両先端間とには、センタローラ８がそれぞれ交換可能に支持させてある。
【００２３】
上記センタローラ８の交換可能な支持手段としては、図示の場合、周知のサイドローラ３の支持方式と同様の方式を採用したが、限定されずその他の交換可能（着脱可能）な方式を採用してもよい。
【００２４】
さらに、下流アーム５及び上流アーム６の途中に先端を取り付けた支持ブラケット９の末端を水平材１に取付金具１０を介し着脱自在に取り付ける。
【００２５】
水平材１上に支持ブラケット９の末端を取り付けた際には、ベルトａのキャリア側下面にセンタローラ８の上周面が接触している。すなわち、支持ブラケット９が起立状態にある。
【００２６】
なお、支持ブラケット９の先端を下流アーム５及び上流アーム６の途中にピン１１を介し取り付け、支持ブラケット９の末端を水平材１に取付金具１０を介し着脱自在にしたが、逆にすることもでき、また支持ブラケット９の先端、末端の両方を取付金具を介し着脱式にしても同効果がある。
【００２７】
上記の取付金具１０は、図示の場合ボルトとナットを用いたが、限定されず、その他の着脱できる金具であってもよい。
【００２８】
上記のように構成すると、センタローラ８を何らかの原因により交換する場合、まず取付金具１０を取り外して水平材１に対する支持ブラケット９の末端の固定（支持）を解除する。
【００２９】
すると、上方への押し上げの解除された上流アーム６或いは下流アーム５を図５に示すように倒れ方向にピン１１を支点として傾動させながら、センタローラ８を降下させることができるので、ベルトａを押し上げ或いは吊り下げることなく、センタローラ８の交換作業が極めてスムーズに行うことができる。
【００３０】
センタローラ８の交換後に降下方向に傾動させてある下流アーム５或いは上流アーム６を起きる方向に回動させ、しかるのち水平材１に支持ブラケット９の末端を取付金具１０を介し固定する。
【００３１】
なお、出荷前の格納や輸送に際しては、支持ブラケット９の末端取付金具１０による固定を解除し、そして下流アーム５及び上流アーム６を並列するように回動させておくと嵩が低くなり、格納や輸送が容易になる。
【００３２】
また、脚材４は、既存のセンタローラのスタンドを使用することができる。すなわち既在ベルトコンベヤのセンタローラを取り外して、センタローラスタンドにこの発明の上流アーム６と下流アーム５の支軸７の両端を支持させる。すると、大幅な改造を必要とせず、目的を達成することができる。
【符号の説明】
【００３３】
Ａ  ベルトコンベヤ
ａ  ベルト
Ｂ  コンベヤフレーム
１  水平材
２  サイドローラスタンド
３  サイドローラ
４  脚材
５  下流アーム
６  上流アーム
７  支軸
８  センタローラ
９  支持ブラケット
１０  取付金具
１１  ピン
【図１】
2011255990.tif 000003
【図２】
2011255990.tif 000004
【図３】
2011255990.tif 000005
【図４】
2011255990.tif 000006
【図５】
2011255990.tif 000007